(57)【要約】【課題】  本発明は、銀行券、株券、債券等の有価証券、各種証明書及び重要書類等の偽造防止又は複製防止が必要とされる偽造防止印刷物に関するものである。【解決手段】  可視画像と複数の不可視画像を備えた偽造防止印刷物であって、印刷物を第１の観察角度から観察した場合に視認される可視画像と、第２の観察角度から観察した場合に視認される第１の不可視画像と、印刷物に判別具を重ねることで観察される第２の不可視画像を少なくとも有することを特徴とする偽造防止印刷物である。【選択図】図１
2014205260.tif 000002
【特許請求の範囲】
【請求項１】
基材上の少なくとも一部に、第１の不可視画像及び第２の不可視画像を有する画像領域が形成された偽造防止印刷物であって、
前記画像領域は、複数のユニットが規則的にマトリックス状に配列され、
複数配列された各々の前記ユニットは、盛り上がりを有する要素が第１の方向に沿って前記ユニットの中心を含む位置に配置された第１の要素と、前記第１の方向と異なる第２の方向に沿って前記ユニットの中心を含む位置に配置された第２の要素のいずれか一方が選択的に配置されたことで前記第１の不可視画像が形成され、
前記第１の方向及び前記第２の方向と異なる第３の方向に沿って前記ユニットの中心を境に対向するように配置された第３の要素及び第４の要素によって前記第２の不可視画像が形成され、
前記第３の要素及び前記第４の要素はオンとオフの関係にあり、面積率及び色が同一として配置され、
前記第３の要素により前記第２の不可視画像のポジ画像又はネガ画像が形成され、前記第４の要素により前記第２の不可視画像のネガ画像又はポジ画像が形成されたことを特徴とする偽造防止印刷物。
【請求項２】
前記ユニットは、更に第５の要素が配置され、
前記第５の要素により可視画像が形成されたことを特徴とする請求項１記載の偽造防止印刷物。
【請求項３】
前記第３の方向に沿って複数配列された各々の前記ユニットにおいて、オフとして配置された前記第３の要素を有する前記ユニットとオフとして配置された前記第４の要素を有する前記ユニットのオフ部分が隣接した場合、オフとして配置された前記第３の要素及び前記第４の要素の間に、前記第３の要素又は前記第４の要素の半分の面積率を有する第６の要素が配置され、
各々の前記ユニットにおいて、前記第３の要素及び前記第４の要素がオフとして配置された場合、前記ユニットの中心に前記第３の要素又は前記第４の要素の半分の面積率を有する第７の要素が配置されたことを特徴とする請求項１又は２記載の偽造防止印刷物。
【請求項４】
基材上の少なくとも一部に、第１の不可視画像、第２の不可視画像及び第３の不可視画像を有する画像領域が形成された偽造防止印刷物であって、
前記画像領域は、複数のユニットが規則的にマトリックス状に配列され、
複数配列された各々の前記ユニットは、盛り上がりを有する要素が第１の方向に沿って前記ユニットの中心を含む位置に配置された第１の要素と、前記第１の方向と異なる第２の方向に沿って前記ユニットの中心を含む位置に配置された第２の要素のいずれか一方が選択的に配置されたことで前記第１の不可視画像が形成され、
前記第１の方向及び前記第２の方向と異なる第３の方向に沿って前記ユニットの中心を境に対向するように配置された第３の要素及び第４の要素によって前記第２の不可視画像が形成され、
前記第３の方向と直交する第４の方向に沿って前記ユニットの中心を境に対向するように配置された第８の要素及び第９の要素によって前記第３の不可視画像が形成され、
前記第３の要素及び前記第４の要素はオンとオフの関係にあり、面積率及び色が同一として配置され、
前記第３の要素により前記第２の不可視画像のポジ画像又はネガ画像が形成され、前記第４の要素により前記第２の不可視画像のネガ画像又はポジ画像が形成され、
前記第８の要素及び前記第９の要素はオンとオフの関係にあり、面積率及び色が同一として配置され、
前記第８の要素により前記第３の不可視画像のポジ画像又はネガ画像が形成され、前記第９の要素により前記第３の不可視画像のネガ画像又はポジ画像が形成されたことを特徴とする偽造防止印刷物。
【請求項５】
前記ユニットは、更に第５の要素が配置され、
前記第５の要素により可視画像が形成されたことを特徴とする請求項４記載の偽造防止印刷物。
【請求項６】
前記第３の方向に沿って複数配列された各々の前記ユニットにおいて、オフとして配置された前記第３の要素を有する前記ユニット及びオフとして配置された前記第４の要素を有する前記ユニットのオフ部分が隣接した場合、オフとして配置された前記第３の要素及び前記第４の要素の間に、前記第３の要素又は前記第４の要素の半分の面積率を有する第６の要素が配置され、
前記第４の方向に沿って複数配列された各々の前記ユニットにおいて、オフとして配置された前記第８の要素を有する前記ユニット及びオフとして配置された前記第９の要素を有する前記ユニットのオフ部分が隣接した場合、オフとして配置された前記第８の要素及び前記第９の要素の間に、前記第８の要素又は前記第９の要素の半分の面積率を有する前記第６の要素が配置され、
各々の前記ユニットにおいて、前記第３の要素及び前記第４の要素がオフとして配置された場合、前記ユニットの中心に前記第３の要素又は前記第４の要素の半分の面積率を有する第７の要素が配置され、
各々の前記ユニットにおいて、前記第８の要素及び前記第９の要素がオフとして配置された場合、前記ユニットの中心に前記第８の要素又は前記第９の要素の半分の面積率を有する前記第７の要素が配置されたことを特徴とする請求項４又は５記載の偽造防止印刷物。
【請求項７】
前記第１の方向及び前記第２の方向の角度差が９０±１５°であることを特徴とする請求項１乃至６記載の偽造防止印刷物。
【請求項８】
前記第１の方向と前記第３の方向、前記第２の方向と前記第３の方向、前記第１の方向と前記第４の方向及び前記第２の方向と前記第４の方向における各々の角度差が４５±１０°であることを特徴とする請求項４乃至７記載の偽造防止印刷物。
【請求項９】
前記第３の要素及び前記第４の要素と、前記第８の要素及び前記第９の要素の面積率及び色が同一であることを特徴とする請求項４乃至８記載の偽造防止印刷物。
【請求項１０】
複数の前記ユニットにおける配列のピッチが１ｍｍ以下であることを特徴とする請求項１乃至０のいずれか一項に記載の偽造防止印刷物。
【請求項１１】
前記第１の要素及び前記第２の要素は、凹版印刷、スクリーン印刷及びインクジェット印刷から選択されるいずれかによって形成されたことを特徴とする請求項１乃至１０のいずれか一項に記載の偽造防止印刷物。
【発明の詳細な説明】
【技術分野】
【０００１】
本発明は、銀行券、株券及び債券等の有価証券や、各種証明書及び重要書類等の偽造防止又は複製防止が必要とされる偽造防止印刷物に関するものである。
【背景技術】
【０００２】
従来、銀行券、株券、債券等の有価証券、各種証明書及び重要書類等では、真正物か偽造物であるかを真偽判別するための技術として、偽造防止技術を盛り込むことが求められている。偽造防止技術の一例としては、インキの盛り上がりを有する画線によってカラーコピー機等を用いた複写を防止する凹版印刷や、それを用いた潜像凹版技術等が代表的である（例えば、特許文献１参照）。
【０００３】
この潜像凹版は、インキの盛り上がりを有する画線を用いることで効果を奏するものであり、例えば、図２０の印刷物１に示すように、印刷模様１４の潜像部を成す画線５と背景部を成す画線６が、９０度の差異を持った２方向の万線状の画線群によって、同一の画線幅及び画線ピッチで配置されている。
【０００４】
この印刷模様１４を正面（鉛直方向）から観察した場合、画線５と画線６は、同一の画線幅及び画線ピッチで配置されているため、一様の濃度として観察されることから、施されている潜像模様「Ｐ」を容易に認識することができない。一方、図２１に示すように、印刷物を傾けて観察すると、画線５は、印刷物１を傾ける角度に対して直交する方向に配列されていることから、インキの盛り上がりを有する画線によって各々の非画線部が隠蔽され、高濃度となるが、画線６は、印刷物を傾ける方向に沿って配列されていることから、印刷物を傾けても各々の非画線部の濃度は変化しない。これにより、潜像模様「Ｐ」が顕像となって出現する。
【０００５】
また、他の潜像凹版技術として、２方向の万線状の画線群ではなく、インキの盛り上がりの高さを部分的に異ならせることで潜像部と背景部を形成することもできる。
【０００６】
また、その他の偽造防止技術として、透明のフィルムに規則的な万線パターンが形成された万線フィルタや、レンチキュラーレンズ等の判別具を重ねることで、不可視画像が出現する技術がある。
【０００７】
この判別具を重ねることで不可視画像が出現する技術として、本出願人は、印刷物を目視で観察した場合に視認される可視画像と、判別具を重ねた場合に視認される（出現する）不可視画像がスイッチする印刷物について出願している（例えば、特許文献２参照）。
【０００８】
特許文献２の印刷物は、中心を境に対向するように配置されたオンとオフの関係にある第１の画線要素が、一定の方向に沿って規則的に複数配列されて第１の不可視画像を形成し、同様の関係にある第２の画線要素が、同様の構成で複数配列されて第２の不可視画像を形成し、第１の画線要素及び第２の画線要素は、同一領域上に異なる角度で配置されており、かつ、各画線要素の一部に重複する位置に可視画像を形成する第３の画線要素が配置されたものである。特許文献２の技術は、目視では可視画像のみが視認され、判別具を重ねることによって、第１の画線要素から第１の不可視画像のポジ画像又はネガ画像が出現し、第２の画線要素から第２の不可視画像のポジ画像又はネガ画像が出現するものである。
【０００９】
さらに、本出願人は、前述した特許文献１の潜像凹版に、判別具を重ねることで不可視画像を出現させる２つ目の効果を合わせた印刷物について出願している（例えば、特許文献３参照）。
【００１０】
特許文献３の印刷物は、潜像凹版を形成する万線パターンに、インキの盛り上がり高さが異なる潜像部と背景部を設けることで、印刷物を傾けて観察した場合に潜像模様を出現させ、さらに、潜像凹版の万線パターン以外の領域に、位相を変調した画線で不可視画像を形成することで、判別具を重ねた場合に不可視画像を出現させるものである。
【先行技術文献】
【特許文献】
【００１１】
【特許文献１】特公昭５６−１９２７３号公報
【特許文献２】特許第４６３５１６０号公報
【特許文献３】特許第４９３１２６５号公報
【発明の概要】
【発明が解決しようとする課題】
【００１２】
しかしながら、特許文献１の印刷物は、傾けて観察した場合、潜像部と背景部との互いの濃度差により潜像模様を視認することができるが、単純な濃度差のみによる真偽判別であるため、より高度な偽造防止技術が求められていた。
【００１３】
また、特許文献２の印刷物は、判別具によって不可視画像が出現する効果には優れているものの、印刷物をカラーコピー機等の複写機によって複写した場合、その複写物でも同様の効果を再現することから、複写に対する偽造防止効果が乏しいという課題が残されていた。
【００１４】
さらに、特許文献３の印刷物は、印刷物を傾けて観察した場合に視認される潜像模様と、判別具を重ねた場合に出現する不可視画像を備えているため、高度な偽造防止技術であるといえるが、画線の中でインキの盛り上がりの高さを部分的に異ならせることで潜像部と背景部を形成しているため、凹版版面、凹版インキ及び印刷速度等の製造条件によっては、適正なインキの盛り上がりの高さを再現することが困難になるという、製造上の課題が残されていた。
【００１５】
本発明は、前述の課題の解決を目的とするものであり、潜像凹版を潜像部と背景部とで異なる方向の画線群によって形成し、さらに、潜像凹版を形成する画線群以外の領域に、判別具を重ねることで出現する不可視画像を形成した偽造防止印刷物に関するものである。
【課題を解決するための手段】
【００１６】
本発明の偽造防止印刷物は、基材上の少なくとも一部に、第１の不可視画像及び第２の不可視画像を有する画像領域が形成された偽造防止印刷物であって、画像領域は、複数のユニットが規則的にマトリックス状に配列され、複数配列された各々のユニットは、盛り上がりを有する要素が第１の方向に沿ってユニットの中心を含む位置に配置された第１の要素と、第１の方向と異なる第２の方向に沿ってユニットの中心を含む位置に配置された第２の要素のいずれか一方が選択的に配置されたことで第１の不可視画像が形成され、第１の方向及び第２の方向と異なる第３の方向に沿ってユニットの中心を境に対向するように配置された第３の要素及び第４の要素によって第２の不可視画像が形成され、第３の要素及び第４の要素はオンとオフの関係にあり、面積率及び色が同一として配置され、第３の要素により第２の不可視画像のポジ画像又はネガ画像が形成され、第４の要素により第２の不可視画像のネガ画像又はポジ画像が形成されたことを特徴とする偽造防止印刷物である。
【００１７】
また、本発明の偽造防止印刷物におけるユニットは、更に第５の要素が配置され、第５の要素により可視画像が形成されたことを特徴とする偽造防止印刷物である。
【００１８】
また、本発明の偽造防止印刷物は、第３の方向に沿って複数配列された各々のユニットにおいて、オフとして配置された第３の要素を有するユニットとオフとして配置された第４の要素を有するユニットのオフ部分が隣接した場合、オフとして配置された第３の要素及び第４の要素の間に、第３の要素又は第４の要素の半分の面積率を有する第６の要素が配置され、各々のユニットにおいて、第３の要素及び第４の要素がオフとして配置された場合、ユニットの中心に第３の要素又は第４の要素の半分の面積率を有する第７の要素が配置されたことを特徴とする偽造防止印刷物である。
【００１９】
また、本発明の偽造防止印刷物は、基材上の少なくとも一部に、第１の不可視画像、第２の不可視画像及び第３の不可視画像を有する画像領域が形成された偽造防止印刷物であって、画像領域は、複数のユニットが規則的にマトリックス状に配列され、複数配列された各々のユニットは、盛り上がりを有する要素が第１の方向に沿ってユニットの中心を含む位置に配置された第１の要素と、第１の方向と異なる第２の方向に沿ってユニットの中心を含む位置に配置された第２の要素のいずれか一方が選択的に配置されたことで第１の不可視画像が形成され、第１の方向及び第２の方向と異なる第３の方向に沿ってユニットの中心を境に対向するように配置された第３の要素及び第４の要素によって第２の不可視画像が形成され、第３の方向と直交する第４の方向に沿ってユニットの中心を境に対向するように配置された第８の要素及び第９の要素によって第３の不可視画像が形成され、第３の要素及び第４の要素はオンとオフの関係にあり、面積率及び色が同一として配置され、第３の要素により第２の不可視画像のポジ画像又はネガ画像が形成され、第４の要素により第２の不可視画像のネガ画像又はポジ画像が形成され、第８の要素及び第９の要素はオンとオフの関係にあり、面積率及び色が同一として配置され、第８の要素により第３の不可視画像のポジ画像又はネガ画像が形成され、第９の要素により第３の不可視画像のネガ画像又はポジ画像が形成されたことを特徴とする偽造防止印刷物である。
【００２０】
また、本発明の偽造防止印刷物は、第３の方向に沿って複数配列された各々のユニットにおいて、オフとして配置された第３の要素を有するユニット及びオフとして配置された第４の要素を有するユニットのオフ部分が隣接した場合、オフとして配置された第３の要素及び第４の要素の間に、第３の要素又は第４の要素の半分の面積率を有する第６の要素が配置され、第４の方向に沿って複数配列された各々のユニットにおいて、オフとして配置された第８の要素を有するユニット及びオフとして配置された第９の要素を有するユニットのオフ部分が隣接した場合、オフとして配置された第８の要素及び第９の要素の間に、第８の要素又は第９の要素の半分の面積率を有する第６の要素が配置され、各々のユニットにおいて、第３の要素及び第４の要素がオフとして配置された場合、ユニットの中心に第３の要素又は第４の要素の半分の面積率を有する第７の要素が配置され、各々のユニットにおいて、第８の要素及び第９の要素がオフとして配置された場合、ユニットの中心に第８の要素又は第９の要素の半分の面積率を有する第７の要素が配置されたことを特徴とする偽造防止印刷物である。
【００２１】
また、本発明の偽造防止印刷物は、第１の方向及び第２の方向の角度差が９０±１５°であることを特徴とする偽造防止印刷物である。
【００２２】
また、本発明の偽造防止印刷物は、第１の方向と第３の方向、第２の方向と第３の方向、第１の方向と第４の方向及び第２の方向と第４の方向における各々の角度差が４５±１０°であることを特徴とする偽造防止印刷物である。
【００２３】
また、本発明の偽造防止印刷物は、第３の要素及び第４の要素と、第８の要素及び第９の要素の面積率及び色が同一であることを特徴とする偽造防止印刷物である。
【００２４】
また、本発明の偽造防止印刷物は、複数のユニットにおける配列のピッチが１ｍｍ以下であることを特徴とする偽造防止印刷物である。
【００２５】
さらに、本発明の偽造防止印刷物における第１の要素及び第２の要素は、凹版印刷、スクリーン印刷及びインクジェット印刷から選択されるいずれかによって形成されたことを特徴とする偽造防止印刷物である。
【発明の効果】
【００２６】
本発明の偽造防止印刷物は、銀行券、株券、債券等の有価証券、各種証明書及び重要書類等の印刷物において、該印刷物上の一部に備えられた第１の不可視画像と第２の不可視画像とが、それぞれ異なる真偽判別方法で出現する、すなわち、判別具を用いない場合と判別具を用いる場合とでそれぞれに異なる効果を付与することができることから、真偽判別する側に合わせた段階的で、高度な真偽判別手段を付与することができる。
【００２７】
第１の不可視画像は、正面から観察した場合における印刷物の意匠性を損なわないように形成されているが、印刷物を傾けて観察することで第１の不可視画像として出現する効果を有し、かつ、インキの盛り上がりを有する画線が配置されていることから、指感性の有無によって真偽判別することができる。
【００２８】
一方、第２の不可視画像は、濃度の不均衡を緩和するための画線構成によって目視では第２の不可視画像が視認され難い状態となっていることから、判別具を持たない偽造者では、第２の不可視画像の存在自体を把握することが困難であり、容易に複製することができないという効果を奏する。
【００２９】
さらに、前述した特許文献３のように、インキの盛り上がりの高さを異ならせることで、第１の不可視画像を形成する必要がないため、製造上の課題がなくなった。
【図面の簡単な説明】
【００３０】
【図１】印刷物１を傾けて観察した場合に出現する第１の不可視画像１０と、印刷物１に判別具２を重ねて観察した場合に出現する第２の不可視画像１１を示す図
【図２】本発明の偽造防止印刷物の一例を示す図
【図３】第１の実施の形態における最小単位のユニットを示す図
【図４】複数のユニットが規則的にマトリックス状に配列された状態を示す図
【図５】第１の実施の形態における印刷物１を正面から観察した場合に視認される画像と、印刷物１を傾けて観察した場合に出現する第１の不可視画像１０と、印刷物１に判別具２を重ねて観察した場合に出現する第２の不可視画像１１を示す図
【図６】第２の実施の形態における最小単位のユニットを示す図
【図７】第２の実施の形態における印刷物１を正面から観察した場合に視認される可視画像１３を示す図と、画線７が配置されたユニットがマトリックス状に配置されたことで、画像領域４内に可視画像１３、第１の不可視画像１０及び第２の不可視画像１１が形成された状態を示す図
【図８】第２の実施の形態における印刷物１を正面から観察した場合に視認される可視画像１３と、印刷物１を傾けて観察した場合に出現する第１の不可視画像１０と、印刷物１に判別具２を重ねて観察した場合に出現する第２の不可視画像１１を示す図
【図９】第３の実施の形態における最小単位のユニットを示す図
【図１０】目視で濃度が不均衡になるのを緩和するための、画線の削除並びに追加を実行するアルゴリズムを示したフローチャート
【図１１】図１０のアルゴリズムに従って、ユニット［ｖ］の画線Ａ´［ｖ］が削除された状態を示す図
【図１２】図１０のアルゴリズムに従って、画線Ａ又は画線Ａ´の半分の面積率を有する画線ａ及び画線ｅが追加された状態を示す図
【図１３】レンチキュラーレンズの特性によって中心線８に位置する画線Ａが膨張して第２の不可視画像１１が出現した状態を示す図
【図１４】第４の実施の形態における最小単位のユニットを示す図
【図１５】複数のユニットが規則的にマトリックス状に配列されたことで、第２の不可視画像１１及び第３の不可視画像１２が形成された状態を示す図
【図１６】目視で濃度が不均衡になるのを緩和するための、画線の削除並びに追加を実行するアルゴリズムを示したフローチャート
【図１７】図１０のアルゴリズムに従って、ユニット［ｖ］の画線Ａ´［ｖ］が削除された状態を示す図と、図１６のアルゴリズムに従って、ユニット［ｈ］の画線Ｂ´［ｈ］が削除された状態を示す図
【図１８】図１０のアルゴリズムに従って、画線Ａ又は画線Ａ´の半分の面積率を有する画線ａ及び画線ｅが追加された状態を示す図と、図１６のアルゴリズムに従って、画線Ｂ又は画線Ｂ´の半分の面積率を有する画線ｂ及び画線ｅが追加された状態を示す図
【図１９】図１０のアルゴリズムと図１６のアルゴリズムの双方を実行したことによって、第２の不可視画像１１及び第３の不可視画像１２を構成する画線領域４の濃度の不均衡が緩和された状態を示す図
【図２０】潜像凹版が施された印刷面を正面から観察した場合の図
【図２１】潜像凹版が施された印刷面を傾けて観察した場合の図
【発明を実施するための形態】
【００３１】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００３２】
本発明の第１乃至第４の実施の形態における偽造防止印刷物（以下「印刷物」という。）は、図１（ａ）に示すように、印刷物１を傾けて観察した場合に規則的に配列されたインキの盛り上がりを有する画線５及び画線６によって、部分的な濃度変化が生じ、任意の図形及び文字等の第１の不可視画像１０が出現することで真偽判別手段として用いることができる。
【００３３】
また、図１（ｂ）に示すように、印刷物１に判別具２を重ねることにより、第２の不可視画像１１が出現し、更なる真偽判別手段として用いることができる。判別具２は、透明性を有する支持体に複数の直線が万線状に規則的に配列された万線フィルタやレンチキュラーレンズ等である。
【００３４】
（第１の実施の形態）
本発明の第１の実施の形態における印刷物１について、図面を用いて説明する。図２は、本発明の第１の実施の形態における印刷物１を示すものであり、基材３上の少なくとも一部に複数の不可視画像が形成された画像領域４を備え、画線領域４は、不可視画像を形成する複数の要素が配置されたユニットが規則的にマトリックス状に配列されたことで第１の不可視画像１０及び第２の不可視画像１１が形成されている。
【００３５】
図３は、第１の実施の形態における最小単位のユニットを示すものであり、画線５は、第１の方向に沿ってユニットの中心を含む位置に配置され、画線６は、第２の方向に沿ってユニットの中心を含む位置に配置され、画線Ａ及び画線Ａ´は、第３の方向に沿ってユニットの中心を境に対向するように配置されている。各々のユニットの寸法Ｓ１及びＳ２は、例えば、３４０μｍというように、１ｍｍ以下の大きさである。
【００３６】
画線５及び画線６は、インキの盛り上がりを有する画線によって同一の面積率及び同一の色によって配置され、各々のユニットにおいて画線５及び画線６のいずれか一方を選択することで、印刷物１を傾けて観察したときに視認される第１の不可視画像１０を形成している。なお、第１の実施の形態では、第１の方向に沿って配置された画線５の集合により、第１の不可視画像１０の潜像部が形成され、第２の方向に沿って配置された画線６の集合により、第１の不可視画像１０の背景部が形成されている。
【００３７】
また、各々のユニットの画線Ａ及び画線Ａ´は、同一の面積率及び同一の色で、相互にオンとオフの関係で配置される。このオンとオフの関係とは、いずれか一方の画線が配置される（オン）の場合と、他方が配置される（オフ）関係であり、原則として双方ともに画線が配置される（オン）又は画線が配置されない（オフ）の状態とならないということである。
【００３８】
この画線Ａ及び画線Ａ´を選択的に配置することで、判別具を重ねて観察した際に出現する第２の不可視画像１１が形成されるが、各々のユニットにおいて、同一の面積率及び同一の色を有する画線Ａ及び画線Ａ´のいずれかが配置されることで、画像領域４内において濃度の差が生じることなく、濃度が均一な状態として視認されることから、第２の不可視画像１１を不可視状態とすることができる。なお、図３では、説明の都合上、画線５及び画線６が配置されたユニットと、画線Ａ及び画線Ａ´が配置されたユニットを別々に示しているが、実際には、画線５及び画線６のいずれか一方と、画線Ａ及び画線Ａ´のいずれか一方が同一のユニット内に配置されている。
【００３９】
図４は、前述した構成のユニットを、画像領域４に連続的、かつ、規則的に配列した状態を示すものであり、画線５の集合によって第１の不可視画像１０の潜像部を形成し、画線６の集合によって、第１の不可視画像１０の背景部を形成している。
【００４０】
また、画線Ａによって第２の不可視画像１１のポジ画像又はネガ画像を形成し、画線Ａ´によって第２の不可視画像１１のネガ画像又はポジ画像が形成される。なお、図４において第１の不可視画像１０である「Ｐ」が視認された状態と、第２の不可視画像１１である「Ａ」が出現した状態を示しているが、実際には、印刷物１を傾けて観察した場合に、第１の不可視画像１０が視認され、判別具２であるレンチキュラーレンズの中心線８を図３に示すユニットの線Ｌ１又は線Ｌ２に重ねた場合に、第２の不可視画像１１のポジ画像又はネガ画像が出現するものである。
【００４１】
第１の実施の形態においては、各々のユニットを４５°傾けた状態とし、各々のユニットの横方向（０°）の対角を結ぶ関係を第１の方向として画線５を配置し、第１の方向と直交する縦方向（９０°）の対角を結ぶ関係を第２の方向として画線６を配置している。また、第１の方向を基準とし、第１の方向と第２の方向の中間である４５°の関係を第３の方向として、画線Ａ及び画線Ａ´を配置している。
【００４２】
これらの第１の方向、第２の方向及び第３の方向は、第１の不可視画像１０及び第２の不可視画像１１の視認性を損なうことなく形成する必要があるため、第１の方向と第２の方向の角度差を９０±１５°とする必要がある。第１の方向と第２の方向の角度差が９０±１６°以上となった場合、印刷物１を傾けて観察した場合に画線５又は画線６によって隠蔽される非画線部の量が少なくなり、かつ、背景部となる非画線部が部分的に隠蔽されることから、各々の非画線部における濃度が接近し、第１の不可視画像１０を視認させるための濃度が不足するため、好ましくない。第１の不可視画像１０の視認性を向上するための更に好ましい形態は、第１の方向と第２の方向の角度差を９０°に近づけた形態であることから、第１の方向と第２の方向の角度差は、９０±５°とすることが好ましい。
【００４３】
また、第１の方向、第２の方向及び第３の方向の角度差は、４５±１０°とする必要がある。各々の方向の角度差が４５±１１°以上となった場合、第２の不可視画像１１を形成する線Ｌ１の方向又は線Ｌ２の方向に画線５又は画線６が干渉される状態となり、第２の不可視画像１１が出現した際の視認性が低下するため、好ましくない。
【００４４】
次に、第１の実施の形態における印刷物１において観察される画像を、図面を用いて説明する。図５（ａ）は、印刷物１を正面から観察した状態を示すものであり、各々のユニットには、画線５又は画線６と、画線Ａ又は画線Ａ´が配置されているため、濃度が均一な状態として視認される。また、図５（ｂ）は、印刷物１を傾けて観察した状態を示すものであり、画線５は、印刷物１を傾ける角度に対して直交する方向に沿って配列されているため、インキの盛り上がりを有する画線５によって近傍の非画線部が隠蔽され、高濃度として視認される。一方、画線６は、印刷物１を傾ける方向に沿って配列されているため、画線６が近傍の非画線部を隠蔽することがなく、正面から観察した状態と同じ濃度で観察されることから、画線５が配置されたユニットと画線６が配置されたユニットにおいて、濃度差が生じ、第１の不可視画像１０である「Ｐ」が視認される。
【００４５】
図５（ｃ）は、第１の実施の形態における印刷物１に判別具２を重ねることで出現する第２の不可視画像１１を示すものであり、各々のユニットにおける線Ｌ１上にレンチキュラーレンズの中心線８を重ねて観察することで、各々のユニットにおける画線Ａのみが選択的に拡大され、第２の不可視画像１１である「Ａ」のポジ画像が出現する。また、各々のユニットにおける線Ｌ２上にレンチキュラーレンズの中心線８を重ねて観察することで、各々のユニットにおける画線Ａ´のみが選択的に拡大され、第２の不可視画像１１である「Ａ」のネガ画像（図示せず）が出現する。
【００４６】
（第２の実施の形態）
第２の実施の形態における印刷物１について、図面を用いて説明する。なお、第２の実施の形態における各々のユニットに配置される画線５、画線６、画線Ａ及び画線Ａ´の構成は、第１の実施の形態と同様の構成であるため、説明を省略する。
【００４７】
第１の実施の形態における印刷物１では、同一の面積率及び同一の色を有する画線５又は画線６と、同一の面積率及び同一の色を有する画線Ａ又は画線Ａ´を有する各々のユニットがマトリックス状に配列されるため、印刷物１を正面から観察した場合に画線領域４内において濃度の差が生じることなく、濃度が均一な状態として視認されるが、第２の実施の形態における印刷物１は、図６に示す画線７を配置することで、印刷物１を正面から観察した場合に視認される可視画像１３が形成されたものである。
【００４８】
図６は、第２の実施の形態における最小単位のユニットを示すものであり、画線５及び画線６が存在しない領域に画線７が配置されている。第２の実施の形態においては、画線５及び画線６と隣接する位置に画線７を配置しているが、画線５及び画線６が存在しない領域であれば、その他の領域に画線７を配置することができる。なお、図６では、説明の都合上、画線５、画線６及び画線７が配置されたユニットと、画線Ａ及び画線Ａ´が配置されたユニットを別々のユニットとして示しているが、実際には、画線５及び画線６のいずれか一方と、画線Ａ及び画線Ａ´のいずれか一方と、画線７が同一のユニット内に配置されている。また、図６では、画線５及び画線６の双方に隣接する領域に画線７が配置された状態としているが、実際には、各々のユニットにおいて画線５及び画線６のいずれか一方が配置されるため、配置された画線５又は画線６に隣接する画線７のみが配置される。
【００４９】
図７（ａ）は、第２の実施の形態における印刷物１を示すものであり、基材３上に可視画像１３、第１の不可視画像１０及び第２の不可視画像１１が形成された画像領域４を備えている。また、図７（ｂ）は、図６に示すユニットを画像領域４に連続的、かつ、規則的に配列した状態を示すものであり、画線７によって印刷物１を正面から観察した場合に視認される可視画像１３が形成されたものである。なお、図７（ｂ）において、第１の不可視画像１０である「Ｐ」が視認された状態と、第２の不可視画像１１である「Ａ」が出現した状態を示しているが、実際には、印刷物１を正面から観察した場合は、可視画像１３のみが視認され、第１の不可視画像１０及び第２の不可視画像１１は視認されない。
【００５０】
図８は、第２の実施の形態における印刷物１について、観察方法の違いによって異なる画像が出現する状態を示すものである。図８（ａ）は、印刷物１を正面から観察した状態である。図８（ａ）のように、第２の実施の形態における印刷物１は、各々のユニットに画線５又は画線６と、画線Ａ又は画線Ａ´と、画線７が配置されているが、画線５、画線６、画線Ａ及び画線Ａ´は、各々のユニットにおいて濃度が均一な状態となるため、画線７を有するユニットのみが部分的に高濃度となり、可視画像１３が視認される。
【００５１】
また、図８（ｂ）は、印刷物１を傾けて観察した状態を示すものであり、画線５は、印刷物１を傾ける角度に対して直交する方向に沿って配列されているため、インキの盛り上がりを有する画線５によって近傍の非画線部が隠蔽され、高濃度として視認される。一方、画線６は、印刷物１を傾ける方向に沿って配列されているため、画線６に近傍の非画線部が隠蔽されることなく、正面から観察した状態と同じ濃度で観察されることから、画線５が配置されたユニットと画線６が配置されたユニットにおいて、濃度差が生じ、第１の不可視画像１０である「Ｐ」が視認される。
【００５２】
また、図８（ｃ）は、第２の実施の形態における印刷物１に判別具２を重ねることで出現する第２の不可視画像１１を示すものであり、各々のユニットにおける線Ｌ１上にレンチキュラーレンズの中心線８を重ねて観察することで、各々のユニットにおける画線Ａのみが選択的に拡大され、第２の不可視画像１１である「Ａ」のポジ画像が出現する。また、各々のユニットにおける線Ｌ２上にレンチキュラーレンズの中心線８を重ねて観察することで、各々のユニットにおける画線Ａ´のみが選択的に拡大され、第２の不可視画像１１である「Ａ」のネガ画像（図示せず）が出現する。
【００５３】
（第３の実施の形態）
第３の実施の形態における印刷物１について図面を用いて説明する。第３の実施の形態における印刷物１は、第１及び第２の実施の形態における印刷物１において、第２の不可視画像１１が若干可視化されてしまうという課題を解消するため、新たな画線を配置するものである。なお、第３の実施の形態において配置する画線５、画線６及び画線７については、第１の実施の形態及び第２の実施の形態と同様であることから、説明を省略する。
【００５４】
画線Ａがオンとして配置された複数のユニットと、画線Ａ´がオンとして配置された複数のユニットがマトリックス状に配列されることで、隣接する２つのユニットにおいてオンとして配置された画線Ａ´と画線Ａが近接する関係、すなわち、左上のユニットに画線Ａ´が配置され、右下のユニットに画線Ａが配置される関係となることで、隣接部分の濃度が相対的に濃く見える。また、隣接する２つのユニットにおいてオフとして配置された画線Ａ´と画線Ａが隣接した配置される関係、すなわち、左上のユニットにおける画線Ａ´がオフとなり、右下のユニットにおける画線Ａがオフとなることで、ユニットの隣接部分の濃度が相対的に淡く見えるといったように、目視では濃度の不均衡が生じる場合がある。
【００５５】
図９は、この濃度の不均衡を緩和するため、最小単位のユニットに画線ａ及び画線ｅを配置したものである。画線ａ及び画線ｅは、ユニットの画線Ａ及び画線Ａ´が配置される方向に沿って配置される。画線ａ及び画線ｅは、図１０に示すアルゴリズムに従って、マトリックス状に配列された各々のユニットにおいて配置された画線Ａ及び画線Ａ´の条件に合わせて配置され、最小単位であるユニット［ｖ］ごとに、画線の削除並びに追加を実行するものである。なお、［ｖ］は、ユニットを左上から右下方向に数えたステップ数を示すものである。
【００５６】
まず、処理ｆ１にて、マトリックス状に配列したユニット［ｖ］において、順次、画線Ａ［ｖ］及び画線Ａ´［ｖ］の検知が行われる。なお、画線Ａ［ｖ］及び画線Ａ´［ｖ］を検知する方法は、例えば、不可視画像１１を形成する画像がビットマップ形式の場合、一般的にラベリングと呼ばれる処理によって、画線Ａ［ｖ］又は画線Ａ´［ｖ］を識別しても良い。
【００５７】
次に、処理ｆ２にて、ユニット［ｖ］に画線Ａ´［ｖ］を有し、かつ、ユニット［ｖ＋１］に画線Ａ［ｖ＋１］を有する条件に一致したとき、処理ｆ３にて、ユニット［ｖ］において本来配置される画線Ａ´［ｖ］の削除が行われる。すなわち、図１１（ａ）に示すように、ユニット［ｖ］、ユニット［ｖ＋１］及びユニット［ｖ＋２］の配置の際、ユニット［ｖ］の画線Ａ´［ｖ］とユニット［ｖ＋１］の画線Ａ［ｖ＋１］が隣接した場合、図１１（ｂ）に示すように、ユニット［ｖ］の画線Ａ´［ｖ］が削除される。また、処理ｆ２の条件に一致しない場合は処理ｆ４に移行する。
【００５８】
次に、処理ｆ４にて、ユニット［ｖ］に画線Ａ［ｖ］を有し、かつ、ユニット［ｖ＋１］に画線Ａ´［ｖ＋１］を有する条件に一致したとき、処理ｆ５にて、ユニット［ｖ］における画線ａ［ｖ］［ｖ＋１］の追加を行う。すなわち、図１２（ｂ）に示すように、ユニット［ｖ］とユニット［ｖ＋１］の中間に、画線Ａ又は画線Ａ´の半分の面積率を有する画線ａ［ｖ］［ｖ＋１］が追加される。これにより、ユニット［ｖ］とユニット［ｖ＋１］間における目視での濃度の不均衡が緩和される。なお、本発明でいう半分の面積率とは、約半分の面積率を含むものである。
【００５９】
次に、処理ｆ６にて、ユニット［ｖ］に画線Ａ´［ｖ］を有し、ユニット［ｖ＋１］に画線がなく、かつ、ユニット［ｖ＋２］に画線Ａ［ｖ＋２］を有する条件に一致したとき、処理ｆ７にて、ユニット［ｖ＋１］における画線ｅ［ｖ＋１］の追加を行う。すなわち、図１２（ｃ）に示すように、ユニット［ｖ＋１］の中心を含む位置に、画線Ａ又は画線Ａ´の半分の面積率を有する画線ｅ［ｖ＋１］が追加される。これにより、ユニット［ｖ］とユニット［ｖ＋２］間における目視での濃度の不均衡が緩和される。
【００６０】
次に、処理ｆ８にて、ユニット［ｖ］に画線Ａ´［ｖ］を有し、ユニット［ｖ＋１］に画線がなく、かつ、ユニット［ｖ＋２］に画線Ａ´［ｖ＋２］を有する条件に一致したとき、処理ｆ９にて、ユニット［ｖ］の画線Ａ´［ｖ］とユニット［ｖ＋２］の画線Ａ´［ｖ＋２］の間に画線ｅ［ｖ＋１］及び画線ａ［ｖ＋１］［ｖ＋２］が追加される。すなわち、図１２（ｄ）に示すように、ユニット［ｖ＋１］の中心を含む位置に、画線Ａ又は画線Ａ´の半分の面積率を有する画線ｅ［ｖ＋１］が追加され、ユニット［ｖ＋１］の画線Ａ［ｖ＋１］及びユニット［ｖ＋２］の画線Ａ´ ［ｖ＋２］の中間に、画線Ａ又は画線Ａ´の半分の面積率を有する画線ａ［ｖ＋１］［ｖ＋２］が追加される。これにより、ユニット［ｖ］とユニット［ｖ＋２］間における目視での濃度の不均衡が緩和される。
【００６１】
この状態で、判別具２を印刷物１に重ねることによって、画像領域４に施された第２の不可視画像１１を出現させることができる。
【００６２】
図１３に示すように、印刷物上の所定の位置に、レンチキュラーレンズの各レンズの中心線８を画線Ａの中心、すなわち、図９における線Ｌ１に一致するように載置する。この場合、図１３に示すようにレンチキュラーレンズの作用によって画線Ａが拡大された状態となるため、画線Ａにより構成される第２の不可視画像１１を出現させることができる。その際、第１の不可視画像１０を構成する画線５及び画線６と、可視画像１３を構成する画線７は、レンチキュラーレンズの各レンズの中心線８と一致しないため、視認されることはない。これにより、図８（ａ）に示す可視画像１３が、図８（ｃ）に示すような第２の不可視画像１１へとスイッチする。また、画線Ａ´が拡大されるように、レンチキュラーレンズの各レンズの中心線８を図９における線Ｌ２と一致するように移動させた場合、画線Ａ´によって、不可視画像１１のネガ画像（図示せず）が出現する。
【００６３】
（第４の実施の形態）
第４の実施の形態における印刷物１について図面を用いて説明する。図１４は、第４の実施の形態における最小単位のユニットを示すものであり、第１乃至第３の実施の形態における印刷物１と異なる構成として、判別具２を重ねる角度を異ならせることで第３の不可視画像１２を出現させる画線Ｂ及び画線Ｂ´が配置されたものである。
【００６４】
図１４に示す最小単位のユニットは、第２の不可視画像１１を形成する画線Ａ及び画線Ａ´と第３の不可視画像１２を形成する画線Ｂ及び画線Ｂ´が配置され、判別具２を重ねる角度を異ならせることで異なる２つの不可視画像が出現する。この図１４に示すユニットが、印刷物の表面上においてマトリックス状に規則的に配列される。画線Ａと画線Ａ´とは対を成しており、相互にオンとオフの関係にある。一方、画線Ｂと画線Ｂ´とは対を成しており、相互にオンとオフの関係にある。そして、画線Ａと画線Ａ´とは面積率が同一であり、かつ、画線Ｂと画線Ｂ´とは面積率が同一である。このような画線Ａ又は画線Ａ´と画線Ｂ又は画線Ｂ´とが存在することで、通常の可視条件下では第２の不可視画像１１及び第３の不可視画像１２は視認されず、画線Ａのみにより第２の不可視画像１１（ポジ画像又はネガ画像）、画線Ａ´のみにより第２の不可視画像１１（ネガ画像又はポジ画像）がそれぞれ形成され、さらに、画線Ｂのみにより第３の不可視画像１２（ポジ画像又はネガ画像）、画線Ｂ´のみにより第３の不可視画像１２（ネガ画像又はポジ画像）がそれぞれ形成されている。
【００６５】
このような構成を有するユニットを印刷物１上にマトリックス状に縦横隙間なく、連続的、かつ、規則的に配列すると図１５となる。この図１５は、ステップ数［ｈ］とステップ数［ｖ］をもってマトリックス状に配列された複数のユニットと、第２の不可視画像１１及び第３の不可視画像１２の構成が解るように、２つの不可視画像が形成された部分を斜線で簡易的に示した模式図であり、図１５（ａ）及び図１５（ｂ）は、同じ印刷領域４において２つの不可視画像が形成されたことを説明するための図である。なお、第２の不可視画像１１及び第３の不可視画像１２を示す斜線は、２つの不可視画像が形成された位置を説明するためのものであり、実際には、図１５（ａ）及び図１５（ｂ）のように第２の不可視画像１１及び第３の不可視画像１２が目視で視認されるものではない。
【００６６】
この状態では、目視で視認した際に画線Ａがオンとして配置された複数のユニットと、画線Ａ´がオンとして配置された複数のユニットがマトリックス状に配列されることで、隣接する２つのユニットにおいてオンとして配置された画線Ａ´と画線Ａが近接する関係、すなわち、左上のユニットに画線Ａ´が配置され、右下のユニットに画線Ａが配置される関係となることで、隣接部分の濃度が相対的に濃く見える。同様に、画線Ｂがオンとして配置された複数のユニットと、画線Ｂ´がオンとして配置された複数のユニットがマトリックス状に配列されることで、隣接する２つのユニットにおいてオンとして配置された画線Ｂ´と画線Ｂが近接する関係、すなわち、左下のユニットに画線Ｂ´が配置され、右上のユニットに画線Ｂが配置される関係となることで、隣接部分の濃度が相対的に濃く見える。
【００６７】
また、隣接する２つのユニットにおいてオフとして配置された画線Ａ´と画線Ａが隣接して配置される関係、すなわち、左上のユニットにおける画線Ａ´がオフとなり、右下のユニットにおける画線Ａがオフとなることで、ユニットの隣接部分の濃度が相対的に淡く見える。同様に、隣接する２つのユニットにおいてオフとして配置された画線Ｂ´と画線Ｂが隣接して配置される関係、すなわち、左下のユニットにおける画線Ｂ´がオフとなり、右上のユニットにおける画線Ｂがオフとなることで、ユニットの隣接部分の濃度が相対的に淡く見えるといった、目視では濃度の不均衡が生じる場合がある。
【００６８】
図１４は、この濃度の不均衡を緩和するため、画線ａ、画線ｅ及び画線ｂが配置したものである。画線ａは、ユニットの画線Ａ及び画線Ａ´が配置される方向に沿って配置され、画線ｂは、ユニットの画線Ｂ及び画線Ｂ´が配置される方向に沿って配置され、画線ｅは、双方の方向に沿って配置される。
【００６９】
この濃度の不均衡を緩和するため、第２の不可視画像１１を形成する画線Ａ及び画線Ａ´に対する処理を、図１０に示すアルゴリズムに従って実施し、第３の不可視画像１２を形成する画線Ｂ及び画線Ｂ´に対する処理を、図１６に示すアルゴリズムに従って実施し、最小単位のユニット［ｈ，ｖ］ごとに、画線の削除並びに追加を実行するものである。なお、［ｖ］は、ユニットを左上から右下方向に数えたステップ数であり、［ｈ］は、ユニットを左下から右上方向に数えたステップ数を示すものである。
【００７０】
まず、図１０に示す処理ｆ１にて、マトリックス状に配列したユニット［ｖ］において、順次、画線Ａ［ｖ］及び画線Ａ´［ｖ］の検知が行われ、図１６に示す処理ｆ１１にて、ユニット［ｈ］において、順次、画線Ｂ［ｈ］及び画線Ｂ´［ｈ］の検知が行われる。なお、画線Ａ［ｖ］及び画線Ａ´［ｖ］並びに画線Ｂ［ｈ］及び画線Ｂ´［ｈ］を検知する方法は、例えば、第２の不可視画像１１及び第３の不可視画像１２を形成する画像がビットマップ形式の場合、一般的にラベリングと呼ばれる処理によって、画線Ａ［ｖ］又は画線Ａ´［ｖ］並びに画線Ｂ［ｈ］又は画線Ｂ´［ｈ］を識別して削除しても良い。
【００７１】
次に、図１０に示す処理ｆ２にて、ユニット［ｖ］に画線Ａ´［ｖ］を有し、かつ、ユニット［ｖ＋１］に画線Ａ［ｖ＋１］を有する条件に一致したとき、処理ｆ３にて、ユニット［ｖ］において本来配置される画線Ａ´［ｖ］の削除が行われる。すなわち、図１７（ａ）に示すように、ユニット［ｖ］、ユニット［ｖ＋１］及びユニット［ｖ＋２］の配置の際、ユニット［ｖ］の画線Ａ´［ｖ］とユニット［ｖ＋１］の画線Ａ［ｖ＋１］が隣接した場合、図１７（ｂ）に示すように、ユニット［ｖ］の画線Ａ´［ｖ］が削除される。また、処理ｆ２の条件に一致しない場合は処理ｆ４に移行する。
【００７２】
一方、図１６に示す処理ｆ１２にて、ユニット［ｈ］に画線Ｂ´［ｈ］を有し、かつ、ユニット［ｈ＋１］に画線Ｂ［ｈ＋１］を有する条件に一致したとき、処理ｆ１３にて、ユニット［ｈ］において本来配置される画線Ｂ´［ｈ］の削除が行われる。すなわち、図１７（ｃ）に示すように、ユニット［ｈ］、ユニット［ｈ＋１］及びユニット［ｈ＋２］の配置の際、ユニット［ｈ］の画線Ｂ´［ｈ］とユニット［ｈ＋１］の画線Ｂ［ｈ＋１］が隣接している場合、図１７（ｄ）に示すように、ユニット［ｈ］の画線Ｂ´［ｈ］が削除される。また、処理ｆ１２の条件に一致しない場合は処理１４に移行する。
【００７３】
次に、図１０に示す処理ｆ４にて、ユニット［ｖ］に画線Ａ［ｖ］を有し、かつ、ユニット［ｖ＋１］に画線Ａ´［ｖ＋１］を有する条件に一致したとき、処理ｆ５にて、ユニット［ｖ］の画線Ａ［ｖ］及びユニット［ｖ＋１］の画線Ａ´［ｖ＋１］の間に画線ａ［ｖ］［ｖ＋１］の追加を行う。すなわち、図１８（ｂ）に示すように、ユニット［ｖ］の画線Ａ［ｖ］及びユニット［ｖ＋１］の画線Ａ´［ｖ＋１］の間に、画線Ａ又は画線Ａ´の半分の面積率を有する画線ａ［ｖ］［ｖ＋１］が追加される。これにより、ユニット［ｖ］とユニット［ｖ＋１］間における目視での濃度の不均衡が緩和される。
【００７４】
一方、図１６に示す処理ｆ１４にて、ユニット［ｈ］に画線Ｂ［ｈ］を有し、かつ、ユニット［ｈ＋１］に画線Ｂ´［ｈ＋１］を有する条件に一致したとき、処理ｆ１５にて、ユニット［ｈ］の画線Ｂ［ｈ］及びユニット［ｈ＋１］の画線Ｂ´［ｈ＋１］の間に画線ｂ［ｈ］［ｈ＋１］の追加を行う。すなわち、図１８（ｆ）に示すように、ユニット［ｈ］とユニット［ｈ＋１］の中間に、画線Ｂ又は画線Ｂ´の半分の面積率を有する画線ｂ［ｈ］［ｈ＋１］が追加される。これにより、ユニット［ｈ］とユニット［ｈ＋１］間における目視での濃度の不均衡が緩和される。
【００７５】
次に、図１０に示す処理ｆ６にて、ユニット［ｖ］に画線Ａ´［ｖ］を有し、ユニット［ｖ＋１］に画線がなく、かつ、ユニット［ｖ＋２］に画線Ａ［ｖ＋２］を有する条件に一致したとき、処理ｆ７にて、ユニット［ｖ＋１］における画線ｅ［ｖ＋１］の追加を行う。すなわち、図１８（ｃ）に示すように、ユニット［ｖ＋１］の中心を含む位置に、画線Ａ又は画線Ａ´の半分の面積率を有する画線ｅ［ｖ＋１］が追加される。これにより、ユニット［ｖ］とユニット［ｖ＋２］間における目視での濃度の不均衡が緩和される。
【００７６】
一方、図１６に示す処理ｆ１６にて、ユニット［ｈ］に画線Ｂ´［ｈ］を有し、ユニット［ｈ＋１］に画線がなく、かつ、ユニット［ｈ＋２］に画線Ｂ［ｈ＋２］を有する条件に一致したとき、処理ｆ１７にて、ユニット［ｈ＋１］における画線ｅ［ｈ＋１］の追加を行う。すなわち、図１８（ｇ）に示すように、ユニット［ｈ＋１］の中心を含む位置に、画線Ｂ又は画線Ｂ´の半分の面積率を有する画線ｅ［ｈ＋１］が追加される。これにより、ユニット［ｈ］とユニット［ｈ＋２］間における目視での濃度の不均衡が緩和される。
【００７７】
次に、図１０に示す処理ｆ８にて、ユニット［ｖ］に画線Ａ´［ｖ］を有し、ユニット［ｖ＋１］に画線がなく、かつ、ユニット［ｖ＋２］に画線Ａ´［ｖ＋２］を有する条件に一致したとき、処理ｆ９にて、ユニット［ｖ］の画線Ａ´［ｖ］及びユニット［ｖ＋２］の画線Ａ´［ｖ＋２］の間に画線ｅ［ｖ＋１］及び画線ａ［ｖ＋１］［ｖ＋２］の追加を行う。すなわち、図１８（ｄ）に示すように、ユニット［ｖ＋１］の中心を含む位置に、画線Ａ又は画線Ａ´の半分の面積率を有する画線ｅ［ｖ＋１］が追加され、更にはユニット［ｖ＋１］の画線Ａ［ｖ＋１］及びユニット［ｖ＋２］の画線Ａ´［ｖ＋２］の中間に、画線Ａ又は画線Ａ´の半分の面積率を有する画線ａ［ｖ＋１］［ｖ＋２］が追加される。これにより、ユニット［ｖ］とユニット［ｖ＋２］間における目視での濃度の不均衡が緩和される。
【００７８】
一方、図１６に示す処理ｆ１８にて、ユニット［ｈ］に画線Ｂ´［ｈ］を有し、ユニット［ｈ＋１］に画線がなく、かつ、ユニット［ｈ＋２］に画線Ｂ´［ｈ＋２］を有する条件に一致したとき、処理ｆ１９にて、ユニット［ｈ］の画線Ｂ´［ｈ］及びユニット［ｈ＋２］の画線Ｂ´［ｈ＋２］の間に画線ｅ［ｈ＋１］及び画線ｂ［ｈ＋１］［ｈ＋２］の追加を行う。すなわち、図１８（ｈ）に示すように、ユニット［ｈ＋１］の中心を含む位置に、画線Ｂ又は画線Ｂ´の半分の面積率を有する画線ｅ［ｈ＋１］が追加され、更にはユニット［ｈ＋１］の画線Ｂ［ｈ＋１］及びユニット［ｈ＋２］の画線Ｂ´［ｈ＋２］の中間に、画線Ｂ又は画線Ｂ´の半分の面積率を有する画線ｂ［ｈ＋１］［ｈ＋２］が追加される。これにより、ユニット［ｈ］とユニット［ｈ＋２］間における目視での濃度の不均衡が緩和される。
【００７９】
よって、これらの図１０における処理ｆ４から処理ｆ８と、図１６における処理ｆ１４から処理ｆ１８が図１５の印刷領域４に適用された場合、図１９に示す印刷領域４全域において、目視での濃度の不均衡が緩和される。なお、各々のユニットにおいて画線Ａ及び画線Ａ´方向の濃度を緩和する画線ｅと、画線Ｂ及び画線Ｂ´方向の濃度を緩和する画線ｅの双方が配置される、すなわち、各々のユニットにおいて画線Ａ、画線Ａ´、画線Ｂ及び画線Ｂ´の全ての画線が配置されない場合、配置される画線ｅの面積率を画線Ａ、画線Ａ´、画線Ｂ又は画線Ｂ´と同じ面積率までの間で拡大して配置することで、肉眼視での濃度の不均衡が更に緩和される。
【符号の説明】
【００８０】
１        印刷物
２        判別具
３        基材
４        画像領域
５        画線
６        画線
７        画線
８        中心線
１０      第１の不可視画像
１１      第２の不可視画像
１２      第３の不可視画像
１３      可視画像
１４      印刷模様
Ａ        画線
Ａ´      画線
Ｂ        画線
Ｂ´      画線
ａ        画線
ｂ        画線
ｅ        画線
Ｌ１      線
Ｌ２      線
Ｌ３      線
Ｌ４      線
Ｅ        観察方向
【図１】
2014205260.tif 000003
【図２】
2014205260.tif 000004
【図３】
2014205260.tif 000005
【図４】
2014205260.tif 000006
【図５】
2014205260.tif 000007
【図６】
2014205260.tif 000008
【図７】
2014205260.tif 000009
【図８】
2014205260.tif 000010
【図９】
2014205260.tif 000011
【図１０】
2014205260.tif 000012
【図１１】
2014205260.tif 000013
【図１２】
2014205260.tif 000014
【図１３】
2014205260.tif 000015
【図１４】
2014205260.tif 000016
【図１５】
2014205260.tif 000017
【図１６】
2014205260.tif 000018
【図１７】
2014205260.tif 000019
【図１８】
2014205260.tif 000020
【図１９】
2014205260.tif 000021
【図２０】
2014205260.tif 000022
【図２１】
2014205260.tif 000023